【手続補正書】
【提出日】平成26年10月8日(2014.10.8)
【手続補正１】
【補正対象書類名】特許請求の範囲
【補正対象項目名】全文
【補正方法】変更
【補正の内容】
【特許請求の範囲】
【請求項１】
複数の伝送端末とネットワークを介して接続された伝送管理装置において、
前記伝送端末を識別するための情報を記憶する記憶部と、
前記伝送端末とコンテンツデータを送信するためのセッションが確立されている他の伝送端末を識別するための情報の要求を受信する受信部と、
前記受信部によって受信した要求に基づいて、前記記憶部に記憶されている前記他の伝送端末を識別するための情報を前記要求の送信元の伝送端末に対して送信する送信部と、
を備えたことを特徴とする伝送管理装置。
【請求項２】
前記記憶部が記憶する前記伝送端末を識別するための情報は、少なくとも前記伝送端末の識別子または前記伝送端末の識別名のいずれか一つを含むことを特徴とする請求項１に記載の伝送管理装置。
【請求項３】
前記記憶部は、前記伝送端末を識別するための情報ごとに伝送端末の伝送状態を関連付けて記憶することを特徴とする請求項１乃至２のいずれか一項に記載の伝送管理装置。
【請求項４】
前記要求を受信したときに、前記記憶部に記憶される伝送状態に基づいて前記要求の送信元の伝送端末と前記セッションが確立されている前記他の伝送端末を識別するための情報を取得する端末状態取得部を更に備えることを特徴とする請求項３に記載の伝送管理装置。
【請求項５】
予め登録された伝送端末の識別子を含む宛先リストを前記伝送端末毎に管理する宛先リスト管理部を更に備え、
前記端末状態取得部は、前記要求を受信したときに該要求の送信元の伝送端末と前記セッションが確立されている前記他の伝送端末の中で、該要求の送信元の伝送端末の宛先リストに登録された伝送端末については、前記記憶部に記憶される識別子と識別名とを取得し、該宛先リストに登録されていない伝送端末については、前記記憶部に記憶される識別子を取得することを特徴とする請求項４に記載の伝送管理装置。
【請求項６】
前記送信部によって送信する情報は、前記他の伝送端末の識別子を含むことを特徴とする請求項１乃至５のいずれか一項に記載の伝送管理装置。
【請求項７】
前記送信部によって送信する情報は、前記他の伝送端末の識別名を含むことを特徴とする請求項１乃至５のいずれか一項に記載の伝送管理装置。
【請求項８】
前記他の伝送端末の識別名は、伝送端末から前記伝送管理装置に対する要求に応じて登録された情報であることを特徴とする請求項７に記載の伝送管理装置。
【請求項９】
伝送端末を識別するための情報を記憶する情報処理装置とネットワークを介して接続された伝送端末において、
他の伝送端末とコンテンツデータを送信するためのセッションの開始要求を送信する送信部と、
前記開始要求に基づいてセッションが確立されている他の伝送端末を識別するための情報を前記情報処理装置から受信する受信部と、
前記受信部によって受信された情報を表示画面に一覧表示させる表示制御部と、
を備えたことを特徴とする伝送端末。
【請求項１０】
利用者からの入力を受け付ける操作入力受付部を更に備え、
前記表示制御部は、前記セッションが確立されている前記他の伝送端末から送信された全ての画像を前記表示画面に表示させる全画像表示モードと、前記伝送管理装置から送信された情報を前記表示画面に表示させる情報表示モードとの２つのモードを切り替え可能であり、
前記操作入力受付部が入力を受け付けたときに、前記２つのモードを相互に切り替え、前記情報表示モードに切り替えられたときに前記要求を前記伝送管理装置に対して送信することを特徴とする請求項９に記載の伝送端末。
【請求項１１】
撮影装置によって撮影された画像を表す画像データが入力される画像データ入力部を更に備え、
前記表示制御部は、前記受信部に受信された情報に加えて、前記セッションが確立されている全ての伝送端末のなかで主要な伝送端末の画像データ入力部に入力されて送信された画像データが表す画像を前記表示画面に表示させることを特徴とする請求項９または請求項１０に記載の伝送端末。
【請求項１２】
集音装置によって得られた音を表す音データが入力される音データ入力部を更に備え、
前記表示制御部は、前記セッションが確立されている全ての伝送端末のなかで、音データ入力部に入力された音声を表す音データが送信された伝送端末を前記主要な伝送端末として特定することを特徴とする請求項１１に記載の伝送端末。
【請求項１３】
撮影装置によって撮影された画像を表す画像データが入力される画像データ入力部を更に備え、
前記表示制御部は、前記情報表示モードにおいて、前記受信部に受信された情報に加えて、前記セッションが確立されている全ての伝送端末のなかで主要な伝送端末の画像データ入力部に入力されて送信された画像データが表す画像を前記表示画面に表示させ、前記表示画面に表示された情報から１つの伝送端末の情報の選択を前記操作入力受付部が受け付けたときに、該伝送端末を前記主要な伝送端末として特定することを特徴とする請求項１０に記載の伝送端末。 
【請求項１４】
前記伝送管理装置によって送信された情報は前記他の伝送端末の識別子を含むことを特徴とする請求項９乃至１３のいずれか一項に記載の伝送端末。 
【請求項１５】
前記伝送管理装置によって送信された情報は前記他の伝送端末の識別名を含むことを特徴とする請求項９乃至１３のいずれか一項に記載の伝送端末。 
【請求項１６】
複数の伝送端末とネットワークを介して接続された管理システムであって、前記複数の伝送端末のうち少なくとも２以上の伝送端末の間でコンテンツデータを送信するためのセッションを確立させる管理システムにおいて、
前記伝送端末を識別するための情報を記憶する記憶部と、
前記伝送端末と前記セッションを確立している他の伝送端末を識別するための情報の要求を受信する受信部と、
前記受信部によって受信した要求に基づいて、前記記憶部に記憶されている前記他の伝送端末を識別するための情報を前記要求の送信元の伝送端末に対して送信する送信部と、を有することを特徴とする管理システム。
【請求項１７】
複数の伝送端末とネットワークを介して接続された伝送管理装置を用いた伝送管理方法において、
前記伝送端末を識別するための情報を記憶する記憶ステップと、
前記伝送端末とコンテンツデータを送信するためのセッションが確立されている他の伝送端末を識別するための情報の要求を受信する受信ステップと、
前記受信ステップによって受信した要求に基づいて、前記記憶ステップに記憶されている前記他の伝送端末を識別するための情報を前記要求の送信元の伝送端末に対して送信する送信ステップと、を備えたことを特徴とする伝送管理方法。
【請求項１８】
伝送端末を識別するための情報を記憶する情報処理装置とネットワークを介して接続された伝送端末制御方法において、
他の伝送端末とコンテンツデータを送信するためのセッションの開始要求を送信する送信ステップと、
前記開始要求に基づいてセッションが確立されている他の伝送端末を識別するための情報を前記情報処理装置から受信する受信ステップと、
前記受信ステップによって受信された情報を表示画面に一覧表示させる表示制御ステップと、を備えたことを特徴とする伝送端末制御方法。
【請求項１９】
複数の伝送端末とネットワークを介して接続された伝送管理装置を構成するコンピュータに実行させる伝送管理プログラムにおいて、
前記伝送端末を識別するための情報を記憶する記憶ステップと、
前記伝送端末とコンテンツデータを送信するためのセッションが確立されている他の伝送端末を識別するための情報の要求を受信する受信ステップと、
前記受信ステップによって受信した要求に基づいて、前記記憶ステップに記憶されている前記他の伝送端末を識別するための情報を前記要求の送信元の伝送端末に対して送信する送信ステップと、を備えたことを特徴とする伝送管理プログラム。
【請求項２０】
伝送端末を識別するための情報を記憶する情報処理装置とネットワークを介して接続された伝送端末を構成するコンピュータに実行させる伝送制御プログラムにおいて、
他の伝送端末とコンテンツデータを送信するためのセッションの開始要求を送信する送信ステップと、
前記開始要求に基づいてセッションが確立されている他の伝送端末を識別するための情報を前記情報処理装置から受信する受信ステップと、
前記受信ステップによって受信された情報を表示画面に一覧表示させる表示制御ステップと、を備えたことを特徴とする伝送端末制御プログラム。
【手続補正２】
【補正対象書類名】明細書
【補正対象項目名】０００７
【補正方法】変更
【補正の内容】
【０００７】
本発明の伝送管理装置は、複数の伝送端末とネットワークを介して接続された伝送管理装置において、前記伝送端末を識別するための情報を記憶する記憶部と、前記伝送端末とコンテンツデータを送信するためのセッションが確立されている他の伝送端末を識別するための情報の要求を受信する受信部と、前記受信部によって受信した要求に基づいて、前記記憶部に記憶されている前記他の伝送端末を識別するための情報を前記要求の送信元の伝送端末に対して送信する送信部と、を備えた構成を有している。